(57)【特許請求の範囲】
【請求項１】
人体の膝に膝頭を露出させて装着して用いる膝サポータであって、
膝裏から該膝裏に続く膝側面部位にわたって当てがわれる伸縮性を有する膝裏被覆部と、前記膝裏被覆部の左右端部間に渡し設けられた、前記人体の膝頭周辺部分に当てがわれる伸縮性を有する膝頭側被覆部と、前記膝裏被覆部の左右端部から左右へ延びる左バンド部及び右バンド部と、前記左バンド部及び前記右バンド部を分離可能に接続するための上側及び下側のファスナとを含んでおり、
前記膝頭側被覆部は、前記膝頭を嵌めて露出させるための開口部を有しており、該開口部の下端縁部分に沿うとともに該膝頭側被覆部の左右端部間にわたって設けられている、前記開口部に嵌められる該膝頭の直下部位を圧迫するための下向き凸円弧状バンド部を有しており、
前記左バンド部は、前記膝裏被覆部が前記膝裏から該膝裏に続く膝側面部位へ当てがわれた状態で、前記膝頭の上側部分上へ巻き回し可能の左上側バンド部及び前記膝頭の下側部分上へ左側から巻き回し可能の左下側バンド部を含んでおり、
前記右バンド部は、前記膝裏被覆部が前記膝裏から該膝裏に続く膝側面部位へ当てがわれた状態で、前記膝頭の上側部分上へ右側から巻き回し可能の右上側バンド部及び前記膝頭の下側部分上へ右側から巻き回し可能の右下側バンド部を含んでおり、
前記上側ファスナは、前記膝裏被覆部が前記膝裏から該膝裏に続く膝側面部位へ当てがわれた状態で、前記左上側バンド部及び前記右上側バンド部をそれぞれ前記膝頭の上側部分上へ巻き回した状態で該左上側バンド部及び該右上側バンド部を接続できるファスナであり、
前記下側ファスナは、前記膝裏被覆部が前記膝裏から該膝裏に続く膝側面部位へ当てがわれた状態で、前記左下側バンド部及び前記右下側バンド部をそれぞれ前記膝頭の下側部分上へ巻き回した状態で該左下側バンド部及び該右下側バンド部を接続できるファスナであることを特徴とする膝サポータ。
【請求項２】
前記膝裏被覆部は、前記膝裏に当てがわれる膝裏当接部分の上下端部の中間部から該下端部へ延びる膝裏保護部を含んでおり、該膝裏保護部は通気性を有し、前記膝裏被覆部の他の部分より伸縮性が大きい請求項１記載の膝サポータ。
【請求項３】
前記膝頭側被覆部は、前記膝裏被覆部の左右端部より伸縮性の大きい布地を主体に形成されている請求項１又は２記載の膝サポータ。
【請求項４】
前記膝裏被覆部の左右端部のそれぞれに、上下方向に延びる、可撓性を有する保形用兼膝伸ばし補助用の筋部材が取付けられている請求項１、２又は３記載の膝サポータ。
【発明の詳細な説明】
【技術分野】
【０００１】
本発明は人体の膝部分に装着して用いる膝サポータに関する。
【背景技術】
【０００２】
膝サポータは、膝痛持ちの人の膝痛を和らげたり、運動による膝部分の損傷を抑制したり、所謂リハビリ訓練を補助するなどのために、日常の生活、運動、リハビリテーション等で用いられるものである。膝サポータは従来種々提案され、実用化されてきたが、その中に、膝頭を露出させて膝に装着するものがある。
【０００３】
この種の膝サポータは例えば特開２００８−２４５９８９号公報（特許文献１）、特開２００９-２４９７４６号公報（特許文献２）等に記載されている。
【０００４】
特許文献１に記載されている膝サポータは、膝裏を被覆する膝裏被覆部と、膝裏被覆部の両側にそれぞれ連設され、膝の前部において相互に接離自在とされた１対の包囲片からなる第１膝包囲部と、膝裏被覆部の両側にそれぞれ連設され、膝の前部において相互に接離自在とされた１対の包囲片からなる第２膝包囲部とを含むもので、膝裏被覆部を膝裏に当てがい、第１膝包囲部で膝頭の上側を包囲するとともに第２膝包囲部で膝頭の下側を包囲することで膝頭を露出させた状態で膝部分に装着するものである。
【０００５】
特許文献２に記載されている膝サポータは、膝頭を露出させる開口部を有する筒状の本体と、該本体に接合されて該本体の上から膝頭の周囲を締め付ける締め付け部材とを備えた膝サポータである。この膝サポータでは、本体が膝裏を覆う膝裏用部材と、膝前面を覆う膝前用部材とからなり、膝前用部材は、下縁部に略Ｖ字状の上向き切込部を形成した上部布片と、上縁部に略Ｖ字状の下向き切込部を形成した下部布片とに分離されており、該上部布片と下部布片とを重ねて膝裏用部材に連結するとともに該上向き切込部と下向き切込部とで前記膝頭露出用開口部が提供されている。
【０００６】
この種の膝サポータは、装着した状態でも膝頭は露出しているので、膝関節の屈伸時におけるサポータの突っ張り感等の違和感を低減することができる。
【先行技術文献】
【特許文献】
【０００７】
【特許文献１】特開２００８−２４５９８９号公報
【特許文献２】特開２００９-２４９７４６号公報
【発明の概要】
【発明が解決しようとする課題】
【０００８】
しかしながら、膝頭周囲の被覆状態を見ると、特許文献１記載のタイプの膝サポータでは、膝頭の上側と下側のそれぞれを第１、第２の膝包囲部がバンド状に締め付けるだけであり、膝頭周辺部分を全体的に被覆する状態で膝部分に装着することは困難であり、また、膝頭に対して位置ずれしやすい。
【０００９】
特許文献２記載のタイプの膝サポータでは、膝頭を露出させる本体開口部は、本体を構成している膝裏用部材と膝前用部材のうち膝前用部材を構成している重ねられた上下の布片の略Ｖ字状の上向き及び下向きの切込部で提供されているので、その開口部は膝の屈伸に伴って寸法変動したり、変形したり、位置ずれしたりし、膝頭周辺部分を安定的に被覆して膝頭部分を安定的に露出させることは困難である。
【００１０】
そこで本発明は、人体の膝に膝頭を露出させて装着して用いる膝サポータであって、脱着が容易であり、それでいて膝頭に対する位置ずれが抑制される状態で膝頭を安定的に露出させるとともに膝頭周辺部分を安定的に被覆することができる膝サポータを提供することを課題とする。
【課題を解決するための手段】
【００１１】
本発明は、人体の膝に膝頭を露出させて装着して用いる膝サポータであって、
膝裏から該膝裏に続く膝側面部位にわたって当てがわれる伸縮性を有する膝裏被覆部と、前記膝裏被覆部の左右端部間に渡し設けられた、前記人体の膝頭周辺部分に当てがわれる伸縮性を有する膝頭側被覆部と、前記膝裏被覆部の左右端部から左右へ延びる左バンド部及び右バンド部と、前記左バンド部及び前記右バンド部を分離可能に接続するための上側及び下側のファスナとを含んでおり、
前記膝頭側被覆部は、前記膝頭を嵌めて露出させるための開口部を有しており、該開口部の下端縁部分に沿うとともに該膝頭側被覆部の左右端部間にわたって設けられている、前記開口部に嵌められる該膝頭の直下部位を圧迫するための下向き凸円弧状バンド部を有しており、
前記左バンド部は、前記膝裏被覆部が前記膝裏から該膝裏に続く膝側面部位へ当てがわれた状態で、前記膝頭の上側部分上へ巻き回し可能の左上側バンド部及び前記膝頭の下側部分上へ左側から巻き回し可能の左下側バンド部を含んでおり、
前記右バンド部は、前記膝裏被覆部が前記膝裏から該膝裏に続く膝側面部位へ当てがわれた状態で、前記膝頭の上側部分上へ右側から巻き回し可能の右上側バンド部及び前記膝頭の下側部分上へ右側から巻き回し可能の右下側バンド部を含んでおり、
前記上側ファスナは、前記膝裏被覆部が前記膝裏から該膝裏に続く膝側面部位へ当てがわれた状態で、前記左上側バンド部及び前記右上側バンド部をそれぞれ前記膝頭の上側部分上へ巻き回した状態で該左上側バンド部及び該右上側バンド部を接続できるファスナであり、
前記下側ファスナは、前記膝裏被覆部が前記膝裏から該膝裏に続く膝側面部位へ当てがわれた状態で、前記左下側バンド部及び前記右下側バンド部をそれぞれ前記膝頭の下側部分上へ巻き回した状態で該左下側バンド部及び該右下側バンド部を接続できるファスナである膝サポータを提供する。
ここで「左」、「右」とは膝サポータを装着する人からみて「左」、「右」である。
【００１２】
本発明に係る膝サポータは、次のようにして人体の膝に簡単に装着して使用できる。
前記左右バンド部は互いに分離状態として、前記膝裏被覆部と前記膝頭側被覆部で形成されている筒状部分を人体の足から穿き、脚に沿って引き上げ、膝部分に装着する。
【００１３】
このとき、膝裏被覆部を膝裏から該膝裏に続く膝側面部位にわたって当てがうとともに、膝頭側被覆部の開口部に膝頭を嵌め、且つ、該膝頭直下の部位（人体部位）に前記下向き凸円弧状バンド部を添わせ当てがった状態で該膝頭側被覆部で膝頭周囲部分を覆う。
【００１４】
次いで、前記左バンド部の左上側バンド部を膝頭の上側部分上へ左側から巻き回すとともに前記右バンド部の右上側バンド部を膝頭の上側部分上へ右側から巻き回し、それら左上側バンド部と右上側バド部を前記上側ファスナで相互接続する。
【００１５】
さらに、前記左バンド部の左下側バンド部を膝頭の下側部分上へ左側から巻き回すとともに前記右バンド部の右下側バンド部を膝頭の下側部分上へ右側から巻き回し、それら左下側バンド部と右下側バンド部を前記下側ファスナで相互接続する。
【００１６】
かくして、前記のように膝頭側被覆部の開口部に膝頭を嵌め、且つ、該膝頭直下の部位（人体部位）に前記下向き凸円弧状バンド部を添わせ当てがい、該膝頭側被覆部で膝頭周囲部分を覆った状態で、膝頭を前記左右の上側バンド部と左右の下側バンド部との間からも露出させた状態に装着して使用できる。
【００１７】
本発明に係る膝用サポータは、人体に装着した状態では、膝頭が露出するので、それだけ膝部分を含む下肢を動かしやすい。
【００１８】
本発明に係る膝サポータによると、膝への装着状態においては、膝頭側被覆部で膝頭周囲部分が覆われた状態とされ、且つ、該膝頭側被覆部の開口部に膝頭が嵌められるとともに該膝頭直下の部位（人体部位）に該部位を圧迫するための前記下向き凸円弧状バンド部が添わせ当てがわれ状態とされ、さらにそのうえ、膝頭の上側部分上及び下側部分上へ上側バンド部及び下側バンド部がそれぞれ巻き回し装着されるので、膝頭に対する位置ずれが抑制される状態で膝頭を安定的に露出させるとともに膝頭周辺部分を安定的に被覆することができる。
【００１９】
また、膝頭側被覆部の開口部に膝頭が嵌められるとともに該膝頭直下の部位（人体部位）に該部位を圧迫するための前記下向き凸円弧状バンド部が添わせ当てがわれるので、膝蓋骨下の膝蓋じん帯が圧迫され、それだけ膝蓋じん帯に関連する炎症発生の抑制効果を期待できる。また、膝痛がある場合、その程度、原因等によってはその膝痛が和らげられることもある。
【００２０】
また、膝頭の上側部分上及び下側部分上へ上側バンド部及び下側バンド部がそれぞれ巻き回し装着されるだけでなく、膝頭側被覆部で膝頭周囲部分が覆われるので、膝頭側被覆部がない場合より保温性がよく、膝頭側被覆部がないとすれば発生する恐れのあるバンド部による膝部分の擦れ等による損傷の発生を抑制できる。
【００２１】
本発明に係る膝サポータは、前記上側ファスナによる前記左上側バンド部と右上側バンド部の相互接続を解くとともに、前記下側ファスナによる前記左下側バンド部と右下側バンド部の相互接続を解き、前記膝裏被覆部と前記膝頭側被覆部で形成されている筒状部分を脚に沿って下へ降ろし簡単に脱ぐことができる。
【００２２】
本発明に係る膝サポータにおける前記膝裏被覆部は、前記膝裏に当てがわれる膝裏当接部分の上下端部の中間部から該下端部へ延びる膝裏保護部を含んでいてもよい。該膝裏保護部としては、例えば通気性を有し、前記膝裏被覆部の他の部分より伸縮性が大きいものを挙げることができる。
【００２３】
前記膝頭側被覆部については、前記膝裏被覆部の左右端部より伸縮性の大きい布地を主体に形成されている場合を例示できる。該布地は通気性があるものでもよい。
【００２４】
前記膝頭の直下部位を圧迫するための下向き凸円弧状バンド部は前記膝頭側被覆部の左右端部間にわたって延設されている。
【００２５】
前記膝裏被覆部の左右端部のそれぞれに、上下方向に延びる、可撓性を有する保形用兼膝屈伸補助用の筋部材が取付けられていてもよい。このような筋部材を設けることで、膝の屈伸がより容易となり、また、膝部分における内側側副じん帯や外側側副じん帯がサポートされる。
【００２６】
本発明に係る膝用サポータにおける前記上側及び下側のファスナとして次のものを例示できる。
上側ファスナの例として、前記左バンド部の左上側バンド部及び前記右バンド部の右上側バンド部の一方に取り付けられた面状雄ファスナ部材と他方に取り付けられた面状雌ファスナ部材とからなる面ファスナを挙げることができる。
同様に前記下側ファスナの例として、前記左バンド部の左下側バンド部及び前記右バンド部の右下側バンド部の一方に取り付けられた面状雄ファスナ部材と他方に取り付けられた面状雌ファスナ部材とからなる面ファスナを挙げることができる。
【００２７】
ここで、面状雄ファスナ部材は平坦基材に多数のフックを立設した部材であり、面状雌ファスナ部材は平坦基材に、前記フックが係合脱離可能の多数のループを形成した部材である。
【発明の効果】
【００２８】
以上説明したように本発明によると、人体の膝に膝頭を露出させて装着して用いる膝サポータであって、脱着が容易であり、それでいて膝頭に対する位置ずれが抑制される状態で膝頭を安定的に露出させるとともに膝頭周辺部分を安定的に被覆することができる膝サポータを提供することができる。
【図面の簡単な説明】
【００２９】
【図１】本発明に係る膝用サポータの１例の正面図である。
【図２】図１に示す膝用サポータの背面図である。
【図３】図１に示す膝用サポータの平面図である。
【図４】図１に示す膝用サポータの底面図である。
【図５】図１に示す膝用サポータの右側面図である。
【図６】図１に示す膝用サポータの左側面図である。
【図７】膝用サポータの膝裏被覆部と膝頭側被覆部からなる筒状部分を人体膝に穿き装着した様子を示す斜視図である。
【図８】膝用サポータを左右バンド部も使って人体膝に装着完了した様子を示す斜視図である。
【発明を実施するための形態】
【００３０】
以下本発明に係る膝サポータの例について図面を参照して説明する。
図１から図６は本発明に係る膝サポータの１例を示しており、図１はその正面図、図２は背面図、図３は平面図、図４は底面図、図５は右側面図、図６は左側面図である。
【００３１】
図示の膝サポータ１０は人体の膝に膝頭を露出させて装着して用いる膝サポータである。
膝サポータ１０は、人体の膝裏から該膝裏に続く膝側面部位にわたって当てがわれる膝裏被覆部１と、膝裏被覆部１の左右端部１１、１２間に渡し設けられた膝頭側被覆部２と、膝裏被覆部１の左右端部１１、１２から左右へ延びる左バンド部３１及び右バンド部３２を含んでいる。
【００３２】
膝サポータ１０において「左」、「右」とは膝サポータ１０を装着する人からみて「左」、「右」である。
【００３３】
膝頭側被覆部２は、左右の端部２１、２２が膝裏被覆部１の左右端部１１、１２にそれぞれ縫着連結されることで膝裏被覆部１の左右端部間に渡し設けられており、これら膝裏被覆部１及び膝頭側被覆部２は筒状体１００を形成している(図３、図４参照)。
【００３４】
左バンド部３１及び右バンド部３２は、膝裏被覆部１の左右端部１１、１２を形成している布材と同じ布材で、該膝裏被覆部１の左右端部１１、１２と一体的に形成されている。
【００３５】
膝裏被覆部１は、人体の膝裏に当てがわれる膝裏当接部分１３の上下端部の中間位置（本例では上下端部間の２分の１位置）より若干上側へ寄った位置から該下端部へ延びる膝裏保護部１４を含んでいる。膝裏保護部１４は、その上縁部１４３及びそれに続く左右縁部１４１、１４２でそれらに隣り合う部分に縫着連結されている。左右縁部１４１、１４２間幅はＷである。
【００３６】
膝裏被覆部１は全体的に伸縮性を有しているが、膝裏保護部１４は膝裏被覆部１の他の部分より伸縮性が大きく、通気性を有している。該他の部分も通気性を有している。
【００３７】
膝裏被覆部１の膝裏保護部１４を除いた部分及びそれと一体的に形成されている（既述の言い方で言えば、膝裏被覆部１の左右端部１１、１２と一体的に形成されている）左右のバンド部３１、３２は同じ布材で形成されている。より具体的には、通気性を有する内側布地（人体側の布地）Ａと、通気性を有するとともに厚み方向に若干のクッシヨン性を有する外側布地Ｂを重ねた、全体として通気性を有しているとともに膝裏保護部１４よりは低いが伸縮性も有している布材からなっている。
【００３８】
膝裏被覆部１及び左右のバンド部３１、３２はそれらの外輪郭縁部は縁どり布Ｃを縫着して縁どりされている。
【００３９】
膝頭側被覆部２は、それとは限定されないが、ここでは次のようにして形成されている。
すなわち、略矩形状に、しかし自由下端縁部２０１は上向き凸円弧状に裁断された一枚の、通気性及び伸縮性を有する布地２００に人体膝頭を嵌めて露出させるための円形状開口部２３を形成する。
【００４０】
布地２００の上端縁を同材質の布地からなる縁どり布２０２で縁どりし、前記上向き凸円弧状に裁断された自由下端縁部２０１を含む部分を膝被覆部側且つ上側へ折り返して該端縁部２０１を下向き凸円弧状に配置するとともに、その一部２０１ａを開口部２３の周縁部の下端部分２３１に重ね添わせた状態とする。
【００４１】
その状態で円弧状端縁部２０１を布地２００本体に縫着し、さらに前記開口部２３の周縁部を円弧状端縁部２０１の一部２０１ａとともに同材質の布地からなる縁どり布２３０で縁どりする。
【００４２】
かくして得られた膝頭側被覆部２をその左右端部２１、２２で膝裏被覆部１の左右端部１１，１２に縫着連結するのである。
【００４３】
円弧状端縁部２０１を布地２００本体に縫着した帯状に延びる部分及び開口部２３の下端縁部２３１を円弧状端縁部２０１の一部２０１ａとともに縁どりしている縁どり布２３０の部分は、開口部２３に嵌められる膝頭の直下部位を圧迫するための下向き凸円弧状バンド部２４を提供している。
なお、膝頭直下部位を圧迫するための下向き凸円弧状バンド部は布地２００に紐、テープ等を取りつけたり、縫い込んだりして提供されてもよく、また、それら紐、テープ等は布地２００の両端部まで延在していてもよい。
【００４４】
左バンド部３１は、膝裏被覆部１が膝裏から該膝裏に続く膝側面部位へ当てがわれた状態で、膝頭の上側部分上へ巻き回し可能の左上側バンド部３１１及び膝頭の下側部分上へ左側から巻き回し可能の左下側バンド部３１２を含む二股バンド部に形成されている。
【００４５】
右バンド部３２は、膝裏被覆部１が膝裏から該膝裏に続く膝側面部位へ当てがわれた状態で、膝頭の上側部分上へ右側から巻き回し可能の右上側バンド部３２１及び膝頭の下側部分上へ右側から巻き回し可能の右下側バンド部３２２を含む二股バンド部に形成されている。
【００４６】
膝サポータ１０は、これら左バンド部３１及び右バンド部３２を分離可能に接続するための上側ファスナ４及び下側ファスナ５を含んでいる。
【００４７】
上側ファスナ４は、膝裏被覆部１が膝裏から該膝裏に続く膝側面部位へ当てがわれた状態で、左上側バンド部３１１及び右上側バンド部３２１をそれぞれ膝頭の上側部分上へ巻き回した状態で左上側バンド部３１１及び右上側バンド部３２１を接続できる面ファスナである。
【００４８】
下側ファスナ５は、膝裏被覆部１が膝裏から該膝裏に続く膝側面部位へ当てがわれた状態で、左下側バンド部３１２及び右下側バンド部３２２をそれぞれ膝頭の下側部分上へ巻き回した状態で左下側バンド部３１２及び右下側バンド部３２２を接続できる面ファスナである。
【００４９】
さらに説明すると、上側ファスナ４は、左上側バンド部３１１の外面に縫着された面状雌ファスナ部材４２と右上側バンド部３２１の内面に縫着された面状雄ファスナ部材４１とからなっている。なお、面状雌ファスナ部材４２が右上側バンド部３２１の外面に、面状雄ファスナ部材４１が左上側バンド部３１１の内面に縫着されていてもよい。
【００５０】
下側ファスナ５は、左下側バンド部３１２の外面に縫着された面状雌ファスナ部材５２と右下側バンド部３２２の内面に縫着された面状雄ファスナ部材５１とからなっている。
なお、面状雌ファスナ部材５２が右下側バンド部３２２の外面に、面状雄ファスナ部材５１が左下側バンド部３１２の内面に縫着されていてもよい。
【００５１】
面状雄ファスナ部材４１、５１は平坦基布に多数のフックを立設した部材であり、面状雌ファスナ部材４２、５２は平坦基布に、前記フックが係合脱離可能の多数のループを形成した部材である。
これらファスナ４、５はそれ自体既に知られている面ファスナである。
【００５２】
膝裏被覆部１の左右端部１１、１２のそれぞれに、上下方向に延びる、可撓性を有する保形用兼膝屈伸補助用の筋部材６が取付けられている。筋部材６はその上に帯状の覆い布６０を被せ、これを膝裏被覆部１、或いは膝裏被覆部１とこれに重ねられた膝頭側被覆部２の端部２１、２２とに縫着することで取り付けられている。
【００５３】
以上説明した膝サポータ１０は、例えば図７、図８に示すように人体の膝７に簡単に装着して使用できる。
当初は、左右バンド部３１、３２を互いに分離状態として、膝裏被覆部１と膝頭側被覆部２で形成されている筒状体１００を足から穿き、脚に沿って引き上げ、膝７部分に装着する。
【００５４】
このとき、膝裏被覆部１を膝裏から該膝裏に続く膝側面部位にわたって当てがうとともに、膝頭側被覆部１の開口部２３に膝頭７０を嵌め、且つ、該膝頭直下の部位（人体部位）７２’に下向き凸円弧状バンド部２４を添わせ当てがった状態で該膝頭側被覆部２で膝頭周囲部分を覆う。
【００５５】
次いで、左バンド部３１の左上側バンド部３１１を膝頭７０の上側部分７１上へ左側から巻き回すとともに右バンド部３２の右上側バンド部３２１を膝頭７０の上側部分７１上へ右側から巻き回し、それら左上側バンド部３１１と右上側バド部３２１を上側ファスナ４で相互接続する。
【００５６】
さらに、左バンド部３１の左下側バンド部３１２を膝頭７０の下側部分７２上へ左側から巻き回すとともに右バンド部３２の右下側バンド部３２２を膝頭７０の下側部分７２上へ右側から巻き回し、それら左下側バンド部３１２と右下側バンド部３２２を下側ファスナ５で相互接続する。
【００５７】
かくして、膝頭側被覆部２の開口部２３に膝頭７０を嵌め、且つ、膝頭直下の部位（人体部位）７２’に下向き凸円弧状バンド部２４を添わせ当てがい、膝頭側被覆部２で膝頭周囲部分を覆った状態で、膝頭７０を左右の上側バンド部３１１、３２１と左右の下側バンド部３１２、３２２との間からも露出させた状態に装着して使用できる。
【００５８】
本発明に係る膝用サポータは、人体に装着した状態では、膝頭７０が露出するので、それだけ膝７部分を含む下肢を動かしやすい。
【００５９】
膝サポータ１０によると、膝７への装着状態においては、膝頭側被覆部２で膝頭７０の周囲部分が覆われた状態とされ、且つ、膝頭側被覆部２の開口部２３に膝頭が嵌められるとともに膝頭直下の部位（人体部位）７２’に該部位を圧迫するための下向き凸円弧状バンド部２４が添わせ当てがわれ状態とされ、さらにそのうえ、膝頭７０の上側部分７１上及び下側部分７２上へ上側バンド部３１１、３２１及び下側バンド部３１２、３２２がそれぞれ巻き回し装着されるので、膝頭７０に対する位置ずれが抑制される状態で膝頭７０を安定的に露出させるとともに膝頭周辺部分を安定的に被覆することができる。
【００６０】
また、膝頭側被覆部２の開口部２３に膝頭７０が嵌められるとともに膝頭直下の部位（人体部位）７２’に該部位を圧迫するための下向き凸円弧状バンド部２４が添わせ当てがわれるので、膝蓋骨下の膝蓋じん帯が圧迫され、それだけ膝蓋じん帯に関連する炎症発生の抑制が可能である。また、膝痛がある場合、その程度、原因等によってはその膝痛を和らげることができる
【００６１】
また、膝頭７０の上側部分７１上及び下側部分７２上へ上側バンド部３１１、３２１及び下側バンド部３１２、３２２がそれぞれ巻き回し装着されるだけでなく、膝頭側被覆部２で膝頭周囲部分が覆われるので、膝頭側被覆部２がない場合より保温性がよく、膝頭側被覆部２がないとすれば発生する恐れのあるバンド部３１，３２による膝部分の擦れ等による損傷の発生を抑制できる。
【００６２】
また、膝サポータ１０における膝裏被覆部１は、膝裏に当てがわれる膝裏当接部分１３の上下に延びる膝裏保護部１４を含んでおり、その膝裏保護部１４は、通気性を有し、膝裏被覆部１の他の部分より伸縮性が大きいものであるから、膝７の屈伸がそれだけ容易であり、また、膝裏が蒸れにくく、膝サポータ１０をそれだけ快適に使用できる。
【００６３】
また、膝裏被覆部１の左右端部１１，１２のそれぞれに、上下方向に延びる、可撓性を有する保形用兼膝屈伸補助用の筋部材６が取付けられているので、膝７の屈伸がより容易となり、また、膝７部分における内側側副じん帯や外側側副じん帯がサポートされる利点がある。
【００６４】
膝サポータ１０は、上側ファスナ４による左上側バンド部と右上側バンド部の相互接続を解くとともに、下側ファスナ５による左下側バンド部と右下側バンド部の相互接続を解き、膝裏被覆部１と膝頭側被覆部２で形成されている筒状部分１００を脚に沿って下へ降ろして簡単に脱ぐことができる。
【００６５】
膝サポータ１０を構成している各部として、以下のものを例示できる。しかし、それらに限定されない。
膝裏被覆部１の膝裏保護部１４を除いた部分及びそれと一体的に形成されている左右のバンド部３１、３２を構成している内側布地（人体側の布地）Ａ：所謂パワーメッシュ（伸縮性のある柔らかいメッシュ地）
膝裏被覆部１の膝裏保護部１４を除いた部分及びそれと一体的に形成されている左右のバンド部３１、３２を構成している外側布地Ｂ：所謂ハニカムメッシュ又はダブルラッセル（蜂の巣のような立体的なメッシュ地） 
膝裏被覆部１の膝裏保護部１４を形成している布地及び膝頭側被覆部２を提供している布地２００： サテンネット(ガードルなどに使用されている伸縮性の強い光沢のある生地)
筋部材６：コイルボーン（コイル状に巻いた鋼材を平らに潰して棒状にした芯材） 
【産業上の利用可能性】
【００６６】
本発明は位置ずれが抑制される状態で膝頭を安定的に露出させるとともに膝頭周辺部分を安定的に被覆することができる膝サポータを提供することに利用できる。
【符号の説明】
【００６７】
１０  膝サポータ
１００  筒状体
１  膝裏被覆部
１１、１２  膝裏被覆部１の左右端部
１３  膝裏当接部分
１４  膝裏保護部
２  膝頭側被覆部
２１、２２  膝頭側被覆部２の左右端部
２００  布地
２０１  円弧状に裁断された自由端縁部
２０１ａ  端縁部２０１の一部
２０２  縁どり布
２３  開口部
２３１  開口部周縁部の下端部分
２４  下向き凸円弧状バンド部
３１  左バンド部
３１１  左上側バンド部
３１２  左下側バンド部
３２  右バンド部
３２１  右上側バンド部
３２２  右下側バンド部
４  上側ファスナ
５  下側ファスナ
６  筋部材
７  人体の膝
７０  人体の膝頭
７１  人体の膝頭の上側部分
７２  人体の膝頭の下側部分
７２’ 人体の膝頭の直下部位
【図１】
0005967693.tif 000002
【図２】
0005967693.tif 000003
【図３】
0005967693.tif 000004
【図４】
0005967693.tif 000005
【図５】
0005967693.tif 000006
【図６】
0005967693.tif 000007
【図７】
0005967693.tif 000008
【図８】
0005967693.tif 000009